【手続補正書】
【提出日】令和2年8月27日(2020.8.27)
【手続補正１】
【補正対象書類名】明細書
【補正対象項目名】００７９
【補正方法】変更
【補正の内容】
【００７９】
クロージャ部は、個別の永久磁石要素（例えば、ネオジム磁石）から形成される磁石配列を有していてもよい。
しかしながら、クロージャ部が、クロージャ部の本体に接着または溶接された１つまたは複数の磁性フィルムを備えるように構成することも考えられ、可能である。また、このとき、クロージャ部の本体自体が永久磁石（フィルム）材料によって、例えば磁性粉末を含有させることによって実現されるように構成することも考えられ、可能である。
以下、本発明に含まれる態様を記す。
〔態様１〕−  第１構造要素（２２）の配列が設けられた第１表面（２０３）を有する第１クロージャ部（２）と、
−  第２構造要素（３２）の配列が設けられた第２表面（３０３）を有する第２クロージャ部（３）と、を備え、
前記第１クロージャ部（２）および前記第２クロージャ部（３）は、前記第１クロージャ部（２）の前記第１表面（２０３）が前記第２クロージャ部（３）の前記第２表面（３０３）と向かい合うことで、前記第１構造要素（２２）と前記第２構造要素（３２）とが互いに係合し、前記両クロージャ部（２，３）が負荷方向（Ｂ１，Ｂ２）に沿って互いに対して移動することをブロックするように、共に配置される、２つの部品を連結するクロージャ装置（１）において、
前記第１クロージャ部（２）は、前記第１表面（２０３）に沿って互いに対してオフセットされている複数の磁極（Ｎ，Ｓ）を有する第１の磁石配列（２１）を有し、前記第２クロージャ部（３）は、前記第２表面（３０３）に沿って互いに対してオフセットされている複数の磁極（Ｎ，Ｓ）を有する第２の磁石配列（３１）を有することを特徴とするクロージャ装置（１）。
〔態様２〕  態様１に記載のクロージャ装置（１）において、前記第１構造要素（２２）および前記第２構造要素（３２）は同タイプに形成されていることを特徴とするクロージャ装置（１）。
〔態様３〕  態様１または２に記載のクロージャ装置（１）において、前記第１構造要素（２２）は前記第１表面（２０３）から突出しており、前記第２構造要素（３２）は前記第２表面（３０３）から突出していることを特徴とするクロージャ装置（１）。
〔態様４〕  態様１から３のいずれか一態様に記載のクロージャ装置（１）において、前記第１構造要素（２２）は第１制止面（２２０）を有し、前記第２構造要素（３２）は第２制止面（３２０）を有し、前記第１構造要素（２２）および前記第２構造要素（３２）は、前記クロージャ部（２，３）に前記負荷方向（Ｂ１，Ｂ２）に負荷が加えられたとき動いて、前記制止面（２２０，３２０）によってブロックするように互いに当接することを特徴とするクロージャ装置（１）。
〔態様５〕  態様４に記載のクロージャ装置（１）において、前記第１構造要素（２２）の前記第１制止面（２２０）は、前記第１表面（２０３）に対して垂直に向いており、および／または、前記第２構造要素（３２）の前記第２制止面（３２０）は、前記第２表面（３０３）に対して垂直に向いていることを特徴とするクロージャ装置（１）。
〔態様６〕  態様４に記載のクロージャ装置（１）において、前記第１構造要素（２２）の前記第１制止面（２２０）は、前記第１表面（２０３）に対してアンダーカットを形成するように角度がつけられており、および／または、前記第２構造要素（３２）の前記第２制止面（３２０）は、前記第２表面（３０３）に対してアンダーカットを形成するように角度がつけられていることを特徴とするクロージャ装置（１）。
〔態様７〕  態様４から６のいずれか一態様に記載のクロージャ装置（１）において、前記第１構造要素（２２）は第１の乗り上げ面（２２１）を有し、前記第２構造要素（３２）は第２の乗り上げ面（３２１）を有し、前記第１構造要素（２２）および前記第２構造要素（３２）は、前記クロージャ部（２，３）に前記負荷方向（Ｂ１，Ｂ２）とは反対方向の負荷が加えられたとき、前記乗り上げ面（２２０，３２０）によって互いに乗り上げることを特徴とするクロージャ装置（１）。
〔態様８〕  態様７に記載のクロージャ装置（１）において、前記第１の乗り上げ面（２２１）および前記第２の乗り上げ面（３２１）は、対応する前記クロージャ部（２，３）の前記表面（２０３，３０３）に角度をつけて延びる斜面を形成していることを特徴とするクロージャ装置（１）。
〔態様９〕  態様１から８のいずれか一態様に記載のクロージャ装置（１）において、前記第１構造要素（２２）および前記第２構造要素（３２）の一方または両方は、それぞれの前記表面（２０３，３０３）のトップビューにおいて、それぞれカーブした形状またはＶ字形状を有することを特徴とするクロージャ装置（１）。
〔態様１０〕  態様１から９のいずれか一態様に記載のクロージャ装置（１）において、前記第１構造要素（２２）および／または前記第２構造要素（３２）は、少なくとも１つの脚部（２２２，３２２）を有し、前記少なくとも１つの脚部（２２２，３２２）はそれぞれ、対応する前記表面（２０３，３０３）に沿って延び、かつ、前記負荷方向（Ｂ１，Ｂ２）に対して傾斜した角度で方向づけられていることを特徴とするクロージャ装置（１）。
〔態様１１〕  態様１０に記載のクロージャ装置（１）において、前記第１構造要素（２２）および／または前記第２構造要素（３２）は、２つの脚部（２２２，３２２）を有し、前記脚部（２２２，３２２）はそれぞれ互いに角度をつけて、特に鈍角で設けられていることを特徴とするクロージャ装置（１）。
〔態様１２〕  態様１から１１のいずれか一態様に記載のクロージャ装置（１）において、前記第１構造要素（２２）の複数の列（Ａ，Ｂ）が、前記第１表面（２０３）において前記負荷方向（Ｂ１，Ｂ２）に沿って互いにオフセットされて配置されており、および／または、前記第２構造要素（３２）の複数の列（Ａ，Ｂ）が、前記第２表面（３０３）において前記負荷方向（Ｂ１，Ｂ２）に沿って互いにオフセットされて配置されていることを特徴とするクロージャ装置（１）。
〔態様１３〕  態様１２に記載のクロージャ装置（１）において、隣り合う列（Ａ，Ｂ）の前記構造要素（２２，３２）は、前記負荷方向（Ｂ１，Ｂ２）に対して横方向から見たとき、互いにオフセットされていないか、または、各前記クロージャ部（２，３）の各前記表面（２０３，３０３）に沿って、負荷方向（Ｂ１，Ｂ２）に対して横方向に計測した構造要素（２２，３２）の幅の半分だけ互いにオフセットされていることを特徴とするクロージャ装置（１）。
〔態様１４〕  態様１から１３のいずれか一態様に記載のクロージャ装置（１）において、前記第１の磁石配列（２１）および前記第２の磁石配列（３１）の一方または両方は、永久磁石要素の配列によって、または、多極永久磁石フィルムによって少なくとも部分的に形成されていることを特徴とするクロージャ装置（１）。
〔態様１５〕  態様１から１４のいずれか一態様に記載のクロージャ装置（１）において、前記第１の磁石配列（２１）の前記磁極（Ｎ，Ｓ）および前記第２の磁石配列（３１）の前記磁極（Ｎ，Ｓ）の一方または両方は、列として周期的に共に配置されていることを特徴とするクロージャ装置（１）。
〔態様１６〕  態様１から１５のいずれか一態様に記載のクロージャ装置（１）において、前記第１の磁石配列（２１）の前記磁極（Ｎ，Ｓ）および前記第２の磁石配列（３１）の前記磁極（Ｎ，Ｓ）の一方または両方は、前記負荷方向（Ｂ１，Ｂ２）に沿って列として共に配置されていることを特徴とするクロージャ装置（１）。
〔態様１７〕  態様１６に記載のクロージャ装置（１）において、前記第１構造要素（２２）および前記第２構造要素（３２）の一方または両方は、第１の周期性（Ｐ１）を有し、前記第１の磁石配列（２１）の前記磁極（Ｎ，Ｓ）および前記第２の磁石配列（３１）の前記磁極（Ｎ，Ｓ）の一方または両方は、第２の周期性（Ｐ２）を有し、前記第１の周期性（Ｐ１）は、前記第２の周期性（Ｐ２）と一致するか、前記第２の周期性（Ｐ２）の整数倍であることを特徴とするクロージャ装置（１）。
〔態様１８〕  態様１６または１７に記載のクロージャ装置（１）において、前記第１構造要素（２２）および前記第２構造要素（３２）の一方または両方は、前記クロージャ部（２，３）が、前記負荷方向（Ｂ１，Ｂ２）とは反対の方向に解除移動距離（ＬＷ）だけ互いに変位可能であり、かつ、前記解除移動距離（ＬＷ）だけ変位させた場合、前記磁石配列（２１，３１）の同じ磁極（Ｎ，Ｓ）が磁気的に反発するように互いに向かい合うように、前記クロージャ部（２，３）に設けられていることを特徴とするクロージャ装置（１）。
〔態様１９〕  態様１６から１８のいずれか一態様に記載のクロージャ装置（１）において、前記第１の磁石配列（２１）および前記第２の磁石配列（３１）は、前記クロージャ部（２，３）が共に配置されたとき、前記クロージャ部（２，３）が、無負荷状態において、前記負荷方向（Ｂ１，Ｂ２）に対して横方向に互いに変位可能であるように、それぞれ対応する前記構造要素（２２，３２）に対して配置されていることを特徴とするクロージャ装置（１）。
〔態様２０〕  態様１９に記載のクロージャ装置（１）において、前記クロージャ部（２，３）に互いに対して前記負荷方向（Ｂ１，Ｂ２）の負荷が加えられたとき、前記クロージャ部（２，３）が互いに対して横方向に変位することが阻害されることを特徴とするクロージャ装置（１）。
〔態様２１〕  態様１から２０のいずれか一態様に記載のクロージャ装置（１）において、前記第１の磁石配列（２１）の前記磁極（Ｎ，Ｓ）および前記第２の磁石配列（３１）の前記磁極（Ｎ，Ｓ）の一方または両方が、前記負荷方向（Ｂ１，Ｂ２）に対して横方向に延びる横方向（Ｙ）に沿って列として共に配置されていることを特徴とするクロージャ装置（１）。
〔態様２２〕  −  第１構造要素（２２）の配列が設けられた第１表面（２０３）を有する第１クロージャ部（２）と、
−  第２構造要素（３２）の配列が設けられた第２表面（３０３）を有する第２クロージャ部（３）と、を備え、
前記第１クロージャ部（２）および前記第２クロージャ部（３）は、前記第１クロージャ部（２）の前記第１表面（２０３）が前記第２クロージャ部（３）の前記第２表面（３０３）と向かい合うことで、前記第１構造要素（２２）と前記第２構造要素（３２）とが互いに係合し、前記クロージャ部（２，３）が負荷方向（Ｂ１，Ｂ２）に沿って互いに対して移動することをブロックするように、共に配置されているクロージャ装置（１）において、
前記第１クロージャ部（２）は第１の磁石配列（２１）を有し、前記第２クロージャ部（３）は第２の磁石配列（３１）を有し、前記第１の磁石配列（２１）および前記第２の磁石配列（３１）の一方または両方は、少なくとも部分的に永久磁石フィルムによって形成されていることを特徴とするクロージャ装置（１）。
〔態様２３〕  態様１から２２のいずれか一態様に記載のクロージャ装置を備える、例えばブラジャーなどの、繊維製部品を連結する繊維製品のクロージャ。